(57)【要約】      （修正有）【課題】膝頭の冷えに対処し、保温効果があり、しかも、使用勝手の良好な膝用サポータを提供する。【解決手段】やや横長方形状の布地製のサポータ主体１の一側端に上側伸縮ベルト２Ａと下側伸縮ベルト２Ｂを連続させて設け、該上、下の伸縮ベルト２Ａ，２Ｂの先端側の裏面に設けた雌雄一方の面ファスナー材４´が接着する雌雄他方の面ファスナー材４を、先端側の表面に設けた上側の伸縮しないベルト３Ａと下側の伸縮しないベルト３Ｂを前記サポータ主体１の他側端に設ける。前記サポータ主体１は、上、下両端の横方向の中央部と、前記両側端の上、下方向の中央部に互いに同一直線上に存するダーツ５を設けた表側シート１ａと裏側シートとで成り、該表裏のシートを前記ダーツが一致して重なり合う位置にして重ね合わせ周端部において縫い合わせる。【選択図】図１
2011092617.tif 000002
【特許請求の範囲】
【請求項１】
やや横長方形状の布地製のサポータ主体の一側端に上側伸縮ベルトと下側伸縮ベルトを連続させて設け、該上、下の伸縮ベルトの先端側の裏面に設けた雌雄一方の面ファスナー材が接着する雌雄他方の面ファスナー材を、先端側の表面に設けた上側の伸縮しないベルトと下側の伸縮しないベルトを前記サポータ主体の他側端に設けると共に、サポータ主体は、上、下両端の横方向の中央部と、前記両側端の上、下方向の中央部にダーツをそれぞれ設けた、保形性の有る生地で成る表側シートとボアのように柔かく、肌触りが良く、保温効果があり、保形性の有る生地で成る裏側シートとで成り、該表裏のシートを、前記ダーツが一致する位置に配して重ね合わせて周端部において互いに縫い合わせた、膝用サポータ。
【発明の詳細な説明】
【技術分野】
【０００１】
本発明は、歩行の助けとしたり、違和感を解消するために膝に巻き付けて用いる膝用サポータに関するものである。
【背景技術】
【０００２】
やや横長方形状の布地製のサポータ主体の両側の中間部に切欠部を設け、一方の切欠部の上側に伸縮性の上ベルト、他方の切欠部の下側に伸縮性の下ベルトをそれぞれ設け、サポータと体を膝の背面側に当てて上ベルトを大腿部に、下ベルトをふくらはぎにそれぞれ巻き付けて用いるようにした構造のものがある（例えば、特許文献１）。
【先行技術文献】
【特許文献】
【０００３】
【特許文献１】特開２００９−５６１０３号公報
【発明の概要】
【発明が解決しようとする課題】
【０００４】
前記従来例は、サポータ主体を膝の背面側に当てて上下ベルトとで脚に巻き付けて用いる構成をとるので、膝頭が露出し、寒さを感じるときがあり、ときには保温効果を期待して用いるには適さないことがある。
【０００５】
本発明は、膝の冷えに対処し、保温効果があり、しかも、比較的使用勝手の良好な膝用サポータを提供することを目的として創案したものである。
【課題を解決するための手段】
【０００６】
やや横長方形状の布地製のサポータ主体の一側端に上側伸縮ベルトと下側伸縮ベルトを連続させて設け、該上、下の伸縮ベルトの先端側の裏面に設けた雌雄一方の面ファスナー材が接着する雌雄他方の面ファスナー材を、先端側の表面に設けた上側の伸縮しないベルトと下側の伸縮しないベルトを前記サポータ主体の他側端に設けると共に、サポータ主体は、上、下両端の横方向の中央部と、前記両側端の上、下方向の中央部にダーツをそれぞれ設けた、保形性の有る生地で成る表側シートとボアのように柔かく、肌触りが良く、保温効果があり、保形性の有る生地で成る裏側シートとで成り、該表裏のシートを、前記ダーツが一致する位置に配して重ね合わせて周端部において互いに縫い合わせた構成としたものである。
【発明の効果】
【０００７】
本発明によれば、裏側シートは表側シートに設けたダーツとダーツを重ね合わせて表側シートと周端において縫い合わせたものであるから、中央部に深い凹入部が形成され、膝頭を確実に被い、保温効果のあるサポータを提供できる。
【０００８】
しかも、保温のために用いた生地がボアのように厚手なものであっても、凹入部が形成される立体的なものであるにも係らず、ダーツの存在により折り畳みを容易に行うことができ、従って、不使用時には小形にまとめて携帯、保管上も好適である。
【図面の簡単な説明】
【０００９】
【図１】表面図。
【図２】図１の平面図。
【図３】裏面図。
【図４】図１ｘ−ｘ線断面図。
【図５】使用状態を示す斜視図。
【図６】ダーツの形成過程を示す説明図。
【発明を実施するための形態】
【００１０】
実施形態の膝用サポータは、ほぼ方形状のサポータ主体１の一側に第一ベルト片２、他側に第二ベルト片３をそれぞれ縫い合わせ、前記サポータ主体１の一側に第一ベルト片２で成る、上、下の伸縮ベルト２Ａ，２Ｂを、他側に前記第二ベルト片３で成る上下の伸縮しないベルト３Ａ，３Ｂを設けると共に、全体を伸縮性の有る帯状片７で取り囲むようにして縁取りを設けてある。
【００１１】
前記サポータ主体１は、上下両端の横方向の中央部と、左右両端の縦方向の中央部に、それぞれダーツ５，５´を互いにほぼ同一直線上に位置するように設けたパイル製の表側シート１ａとボア製の裏側シート１ｂを、前記ダーツ５，５´が表裏一致するように合わせて互いに縫い合わせて構成し、サポータ主体１は、この縫い合わせ関係により、表裏の一方側から見れば中央部が凹んだ、他方側から見れば膨らんだ立体形状となり、裏側シート１ｂ側を凹ませることにより膝頭（関節）に適合させて身に付けることができる。
【００１２】
なお、表、裏のシート（保形性の有る）１ａ，１ｂは、八角形状に裁断した、表側シート１ａ又は裏側シート１ｂのための生地１Ａの隔置きに配した各隅部に相対する他の隅部１００方向に延びる折目１０１が一辺となって三角形状に形成されるような二重部分１０２を設け、該二重部分１０２の前記折目１０１を縫い合わせてダーツ５又は５´を形成し、該ダーツ５又は５´に沿って不要な二重部分１０３を切り取って形成される。図６は、表、裏シート１ａ，１ｂの形成順序を図式的に表わすが、図のように折目１０１の形成作業と縫い合わせ作業を作業順序として区分けする必要はなく、例えば、図６（ｂ）の状態にして直ちに縫い合わせてダーツ５又は５´を形成するように、ダーツ５又は５´を一つ宛形成するようにしても良い。
【００１３】
上下の伸縮ベルト（メッシュ樹脂生地を用いている）２Ａ，２Ｂの先端の裏面には、上下の伸縮しないベルト３Ａ，３Ｂの先端から前記サポータ主体１にかけて設けた面ファスナーの雌雄の一方材４に接合する他方材４´を取付けたものである。
【００１４】
そして、サポータ主体１を膝頭（関節部）に当て大腿部側に上側伸縮ベルト２Ａと上側の伸縮しないベルト３Ａを巻き付けて面ファスナーの一方材４と他方材４´を互いに止着して該巻き付け状態を確保する一方、すね部側に下側伸縮ベルト２Ｂと下側の伸縮しないベルト３Ｂを巻き付けて、同様に面ファスナーの一方材４と他方材４´を互いに止着して該巻き付け状態を確保するようにして膝用サポータＡを用いるのである。
【００１５】
なお、伸縮しないベルト３Ｂ，３Ｂは、前記のように身に付ける際、サポータ主体部１を膝頭に当てて伸縮ベルト２Ａ，２Ｂと止着したとき、伸縮ベルト２Ａ，２Ｂの伸縮に影響されることなく定位置を確保することができる。
【符号の説明】
【００１６】
１          サポータ主体
１ａ        表側シート
１ｂ        裏側シート
２Ａ        上側伸縮ベルト
２Ｂ        下側伸縮ベルト
３Ａ        上側の伸縮しないベルト
３Ｂ        下側の伸縮しないベルト
４，４´    面ファスナー材
５，５´    ダーツ
【図１】
2011092617.tif 000003
【図２】
2011092617.tif 000004
【図３】
2011092617.tif 000005
【図４】
2011092617.tif 000006
【図５】
2011092617.tif 000007
【図６】
2011092617.tif 000008